(57)【要約】【課題】下型枠の上に設置された上端筋と下端筋で碁盤の目状に形成された小空間に球状発泡プラスチックボイド（球ボイド）を簡単に、正確な位置に固定し、その後のコンクリート打設時に球ボイドが流されたり、浮き上がったりして位置がずれてしまうことを防ぐことにより、安価で性能のすぐれた平面格子球状中空コンクリートスラブを提供する。【解決手段】上端筋を固定する際に、一端を上端筋に一端をひっかけ、他端を下枠型に設けられたアンカー部材の穴にワンタッチで固定可能なワンタッチ止め金物を用いて固定する。次いで、２本の棒状支持体間に複数のフレキシブルなラップ部材を持ったラップ金物に球ボイドを包み込みつつ上端筋にクリップ金物を用いてワンタッチで固定し、小空間の中の正確な位置に球ボイドを固定させる。【選択図】図１
2005188265.tif 000002
【特許請求の範囲】
【請求項１】
２本の棒状支持体間に複数のフレキシブルなラップ部材を持ち、球ボイドを包み込みつつ下型枠上に格子状に配筋された上端筋と下端筋によって碁盤目状に仕切られた小空間への球ボイドの固定埋設を可能にすることを特徴とする平面格子球状中空コンクリートスラブ作製用ラップ金物。
【請求項２】
上端筋の上から強く押されると上端筋を咥え込み抜け難いストップ機能を備え、かつ、該咥え溝と直角方向に請求項１記載の２本の棒状支持体を咥え固定する構造を持ち、該請求項１記載のラップ金物を上端筋に取り付けるときにラップ金物の２本の棒状支持体を所定位置にワンタッチで固定することを可能にしたクリップ金物。
【請求項３】
一端に平面格子中空コンクリートスラブの上端筋にひっかける形状を有し、他端には下枠型に設けられたアンカー部材の穴に強く押し込むと所定の位置まで挿入され、逆に引っ張っても抜けにくい逆目を有し、ワンタッチで上端筋の下枠型への固定を可能にすることを特徴とするワンタッチ金物。
【請求項４】
下型枠上に格子状に配筋された上端筋と下端筋によって碁盤目状に仕切られ、必要により、請求項３記載のワンタッチ止め金物で上端筋を下型枠に固定し、そのようにして形成された小空間に球ボイドを埋設した平面格子球状中空コンクリートスラブにおいて、球ボイドが請求項１記載のラップ金物に包み込まれた状態で、必要により、請求項２記載のクリップ金物によって固定されていることを特徴とする平面格子球状中空コンクリートスラブ。
【発明の詳細な説明】
【技術分野】
【０００１】  本発明は、施工性に優れ、かつ高遮音性を発揮する平面格子球状中空コンクリートスラ  ブおよびそれに用いる止め金具に関する。
【背景技術】
【０００２】  従来、建築物の高層化や広い居室空間の確保のため、鉄筋コンクリートスラブの厚さを増して強度を高めたり、軽量化や遮音性改善したりするため、スラブ内部に埋設物を埋め込んで中空化する工法が種々実用化されている。このような埋設物として、ワインデイングパイプに代表される中空管やキーストンプレートを折り曲げ加工した箱型加工品、耐水段ボールなどが用いられている。また、合成樹脂製発泡成形品を埋設物として薄肉ＰＣ床板に固着一体化した型枠を用いる工法が次の特許に提案されている。
【特許文献１】特公昭５７−４７００７号広報
【特許文献２】特公昭５８−２０７６８号広報
【０００３】  これらの従来工法は、軽量化の目的は達成できるものの、その多くのものは中空部が一方向にのみ連続した一方向性スラブである。かかる一方向性スラブは構造上加重を一方向に伝達するものとなるため、４辺で支持するスラブの場合には設計上様々な制約を受けるという問題点が指摘されている。これを解決するものとして、次の特許に二方向性スラブが提案されている。
【特許文献３】特公昭６３−４９０２５号広報
しかしながら、中空管を用いる二方向性スラブは、物件やスラブ毎に中空管の割り付けを行うため設計に多大な手間を要し、各種サイズの中空管を必要とするため、資材管理が煩雑になり、また、施工に多大な手間を要するなど様々の問題点がある。【０００４】  従来の中空スラブ工法を抜本的に改善する工法として、次の特許に型枠内に格子状に配筋された上端筋と下端筋によって碁盤目状に仕切られた小空間に軽量体を多数配置し、コンクリートを打設する工法が提案されている。
【特許文献４】特公平  ９−２５０１９６号広報
この二方向性スラブにおいては、軽量体としてサイコロ状、円柱状または提灯状のプラスチック発泡体等の軽量体を用い、スラブの格子状に規則正しく形成された前記小空間に該軽量体を埋め込み、直交する二方向にＩ型梁が連接した断面形状を有する二方向性スラブとするものである。【０００５】さらに、次の文献には球形発泡スチロールボイドを型枠内に格子状に配筋された上端筋と下端筋によって碁盤目状に仕切られた小空間に押さえ金具をかぶせて多数配置固定し、コンクリートを打設する工法が紹介されている。
【非特許文献１】「新世代の騒音防止術」日経アーキテクチュア２００３．２−１７の８２ページから８４ページ（２００３年２月１７日発行）。
【非特許文献１】「球体ボイド」を用いたＲＣ造集合住宅  建築技術２００３．３月号２２８ページから２３４ページ（２００３年３月１日発行）
このような構成により、資材管理が容易になり、施工も前記空間に軽量体を埋め込み補助筋や押さえ金具で支持するだけでよく、精度の高い二方向性スラブを簡単に形成することが可能になった。
【発明の開示】
【発明が解決しようとする課題】
【０００６】しかしながら、この球型発泡プラスチックボイド（以下「球ボイド」と呼ぶ）を用いた平面格子球状中空コンクリートスラブにはまだいくつかの問題点あった。【０００７】１つは球ボイドを型枠内に格子状に配筋された上端筋と下端筋によって碁盤目状に仕切られた小空間に押さえ金具をかぶせて多数配置し、コンクリートを打設する時にボイドの１部に浮き上がり事故が生じ、正確な位置に固定されないものが生じる結果、その部分の断面性能が劣化してしまうことがあった。【０００８】もう１つは、施工性にまだ問題がある。具体的には、前記押さえ金具を固定する方法として針金等による結束が一般的であるが、その作業に多くの時間がかかり、固定精度も十分とは言えなかった。また、型枠内に格子状に配筋する鉄筋の固定も、下型枠の所定の位置に穴を開けておき、そこに止め金具を差し込んでネジ止めする方法が取られており、その作業に多くの時間がかかるという問題があった。【０００９】そこで、本発明が解決しようとする課題は、球ボイドを型枠内に格子状に配筋された上端筋と下端筋によって碁盤目状に仕切られた小空間に正確に、確実に固定することが出来て、なおかつ施工性の精度向上と時間短縮を実現することである。
【課題を解決するための手段】
【００１０】以上の課題を解決するために、我々は第一発明から第三発明の３つの新規な止め金具を開発し、これを用いることにより、本発明の課題を達成した。すなわち、第一発明は、２本の棒状支持体間に複数のフレキシブルなラップ部材を持ち、球ボイドを包み込みつつ下型枠上に格子状に配筋された上端筋と下端筋によって碁盤目状に仕切られた小空間へ球ボイドの固定埋設を可能にすることを特徴とする平面格子球状中空コンクリートスラブ作製用ラップ金物である。【００１１】第二発明は、上端筋の上から強く押されると上端筋を咥え込み抜け難いストップ機能を備え、かつ、該咥え溝と直角方向に第一発明の２本の棒状支持体を咥え固定する構造を持ち、該第一発明のラップ金物を上端筋に取り付けるときにラップ金物の２本の棒状支持体を所定位置にワンタッチで固定することを特徴とするクリップ金物である。【００１２】第三発明は、一端に平面格子中空コンクリートスラブの上端筋にひっかける形状を有し、他端には下枠型に設けられたアンカー部材の穴に強く押し込むと所定の位置まで挿入され、逆に引っ張っても抜けにくい襞を有し、ワンタッチで上端筋を下枠型に固定することを特徴とするワンタッチ金物である。【００１３】第四発明は、下型枠上に格子状に配筋された上端筋と下端筋によって碁盤目状に仕切られ、必要により、一端に平面格子中空コンクリートスラブの上端筋にひっかける形状を有し、他端には下枠型に設けられたアンカー部材の穴に強く押し込むと所定の位置まで挿入され、逆に引っ張っても抜けにくい襞を有するワンタッチ止め金物で上端筋を下型枠に固定し、そのようにして形成された小空間に球ボイドを埋設した平面格子球状中空コンクリートスラブにおいて、球ボイドが２本の棒状支持体間にフレキシブルなラップ部材を持ったラップ金物に包み込まれた状態で、必要により、上端筋の上から強く押されると上端筋を咥え込み抜け難いストップ機能を備え、かつ、該咥え溝と直角方向に前記ラップ金物の２本の棒状支持体を咥える構造を持ったクリップ金物によって固定されていることを特徴とする平面格子球状中空コンクリートスラブである。
【発明の効果】
【００１４】第一発明によれば、球ボイドをラップ金物のフレキシブルなラップ部材で包み込んだ状態で固定することが出来るので、コンクリート打設時に球ボイドの浮き上がり事故が起きず、格子状に配筋された上端筋と下端筋によって碁盤目状に仕切られた小空間に正確に、確実に固定することが出来る。その結果、すぐれた断面性能が得られて、コンクリートスラブの安定した強度および遮音性能を得られる。【００１５】さらに、第一発明のラップ金物は２本の棒状支持体間に複数のフレキシブルなラップ部材を持った構造を持っていて、施工前の貯蔵や運搬するときに重ね置きが可能なので、貯蔵コスト、運搬コストの低減にも役立つ。【００１６】第二発明によれば、第一発明のラップ部材をワンタッチで上端筋に固定出来るので、該作業に熟練を必要とせず、正確に短時間で施工が可能となる。【００１７】第三発明によれば、予め下型枠の所定の位置にアンカーを取り付けておき、その穴にワンタッチ金物を強く押しながら差し込むことによって上端筋を下型枠に固定出来るので、該作業に熟練を必要とせず、正確に短時間で施工が可能となる。【００１８】第四発明によれば、球型発泡プラスチックボイドを型枠内に格子状に配筋された上端筋と下端筋によって碁盤目状に仕切られた小空間に正確に、確実に固定することが出来て、なおかつ熟練工の必要なしに施工性の精度向上と時間短縮が出来るので、安定した高性能を持ち、安価な平面格子球状中空コンクリートスラブを得ることが出来る。
【発明を実施するための最良の形態】
【００１９】本発明の一実施形態を図４に施工順〔１〕、〔２〕、〔３〕、と追って示す。先ず、図４−〔１〕に示すように下型枠１の上に上端筋３−ａ、３−ｂ，下端筋２−ａ，２−ｂおよび巾止筋９が設置されているところに、上端筋３−ａに、図５に示した鉄製ワンタッチ止め金物の掛け金物１０上部湾曲部を引っ掛けながら、下型枠１に予め取り付けられたアンカー１１の穴に強く押して、それ以上入らない位置まで押し込むことにより上端筋３−ａを下型枠１に固定する。【００２０】アンカー１１は、パラシュート１２と呼ばれるストッパー部材を間にはさんでボルト１３がつながれていて、これを予め下型枠の決められた所定の穴に上から押込み、パラシュート１２が穴を通過すると開いて下型枠に固定されて抜けなくなっている。
次に、図４−〔２〕に示すように、上端筋の上から、図６の２本の鉄製棒状支持体１４と薄厚鉄板を用いたマス状ラップ部材１５ａからなるラップ金物６のフレキシブルなラップ部材部分を下に落とし込み、２本の棒状支持体の間隔を球ボイドの径よりも大きく設置する。【００２１】次に、図４−〔３−１〕に示すように、球ボイド５を上端筋の上からラップ金物のフレキシブルなラップ部材部分に落とし込み、図４−〔３−２〕に示すように、ラップ金物６の２本の棒状支持体の間隔を、球ボイド５を包み込んで動かなくなる位置まで狭める。【００２２】本発明に用いる球ボイド６の材質は、軽量で加工しやすいものであれば特に制限はなく、例えばプラスチック発泡体やプラスチック中空体などが挙げられる。特に、軽量で剛性のある発泡スチロール、発泡ポリエチレン等のプラスチック発泡体製の中実体が好適であり、球ボイドの形状は、できるだけ真球であることがよいが多少いびつであってもよい。【００２３】本発明に用いる球ボイドのサイズは、通常よく使われているＳ（φ１２５ｍｍ）、Ｍ（φ１５０ｍｍ）、Ｌ（φ１７５ｍｍ）、２Ｌ（φ２００ｍｍ）、３Ｌ（φ２２５ｍｍ）、４Ｌ（φ２５０ｍｍ）の６種程度を用意しておき、スラブ厚みに応じて選ぶ。例えばスラブ厚み２５０ｍｍの場合、球径１５０ｍｍの発泡スチロールボイドを用いて小空間に対する球ボイドの体積比が約２３％になるようにする。球ボイドの体積が小空間体積の１５〜４０％にするのが好ましい。体積比が１５％より小さいとコンクリートスラブが軽量化されない上、遮音性もあまり改善されず、４０％を超えるとコンクリートスラブの剛性が低下する。コンクリートスラブの剛性と軽量化のバランスから、好ましくは１５〜４０％、より好ましくは１８〜３２％である。そして、上記６種程度を用意しておけば、スラブ厚み２２５ｍｍから３５０ｍｍに対して対応可能である。【００２４】次いで図４−〔３−３〕に示すように図８のクリップ金物でワンタッチ固定する。クリック金物は、図８に記載した中の「押込みタイプ」７ａを用いる。鉄板を、上端筋３ｂを挟みこむような間隔を作って折り曲げ、上端筋３ｂと接する部分にジグザグの逆目が内側にむかって形成されていて、該折り曲げの直角方向に２箇所のラップ金物棒状支持体１４を咥える溝を備えている。この２箇所の溝の間隔は、用いる球ボイドによって決める。【００２５】なお、上端筋へ固定する位置は予めその位置にマークをつけておくか、または定規を当てながらきめてもよい。【００２６】本発明によるスラブ骨格は平面図が図１に示したようになっており、球ボイド５がラップ金物に包み込まれて固定された状態は図２に示した図１のＡ〜Ａ′断面図および同Ｂ〜Ｂ′断面図のようになっている。【００２７】次に、上から生コンクリートを打設し、固化した後、図５のボルト１３をはずし、下型枠を取り外して本発明の平面格子球状中空コンクリートスラブが完成する。
「実施形態の効果」【００２８】この実施形態によれば、球ボイドをラップ金物のフレキシブルなラップ部材で包み込んだ状態で固定することが出来るので、コンクリート打設時に球ボイドの浮き上がり事故が起きず、格子状に配筋された上端筋と下端筋によって碁盤目状に仕切られた小空間に正確に、確実に固定することが出来る。その結果、すぐれた断面性能が得られて、コンクリートスラブの安定した強度および遮音性能を得られる。【００２９】さらに、上記ラップ部材をワンタッチで上端筋に固定出来るので、該作業に熟練を必要とせず、正確に短時間で施工が可能となる。【００３０】さらに、上記ワンタッチ金物を強く押しながら差し込むことによって上端筋を下型枠に固定出来るので、該作業に熟練を必要とせず、正確に短時間で施工が可能となる。【００３１】さらに、上記ラップ金物は２本の棒状支持体間に複数のフレキシブルなラップ部材を持った構造を持っていて、施工前の貯蔵や運搬するときに重ね置きが可能なので、貯蔵コスト、運搬コストの低減にも役立つ。
「他の実施形態」【００３２】ラップ金物に関する他の実施形態として図６に示すように、ラップ部材として１５ｂのような形状をもったラップ金物を用いても、同様な効果が得られる。【００３３】ラップ金物のラップ部材材質は、薄厚鉄板のほかに針金、金網、引張強度の高い包装用プラスチックテープを用いてもよい。ただし、薄厚鉄板を用いるときは、マス目状に打抜いたものやテープ状に細く切った薄厚鉄板をつなげるのがよい。その理由は、隙間があれば、コンクリート打設時に空気が滞留するのを防ぐことが出来るからである。【００３４】クリップ金物に関する他の実施形態として上端筋３ｂを咥える構造を、図８の「廻しタイプ」７ｂに示すような形にすることも出来る。【００３５】クリップ金物を使用せずに従来行われている針金などを用いた結束方法を採用しても出来上がった平面格子球状中空コンクリートスラブの強度や遮音性能などの品質は同じものが得られる。また、ワンタッチ金物で上端筋と下型枠を固定する代わりに、従来行われている針金などを用いた結束方法を採用しても出来上がった平面格子球状中空コンクリートスラブの強度や遮音性能などの品質は同じものが得られる。しかし、ラップ金物だけは従来の使われているもので代替することは出来ない。
【図面の簡単な説明】
【００３６】
【図１】本発明の一実施形態を示す平面格子球状中空コンクリートスラブ骨格の平面図である。
【図２】本発明の一実施形態を示す図１のＡ〜Ａ′断面図である。
【図３】本発明の一実施形態を示す図１のＢ〜Ｂ′断面図である。
【図４】本発明の一実施形態を示す平面格子球状中空コンクリートスラブ施工順の説明図である。〔１〕はワンタッチ止め金物を設置する図。〔２〕はラップ金物を上端筋の上から２本の棒状支持体を、間隔をあけた状態で設置した図。〔３−１〕は球ボイド５を落とし込もうとしている図。〔３−２〕は球ボイド５を包み込んだ図。〔３−３〕はクリップ金物７ａでラップ金物を上端筋に固定しようとしている図である。
【図５】本発明の一実施形態を示すワンタッチ止め金物である。
【図６】本発明の一実施形態を示すラップ金物である。
【図７】本発明の一実施形態を示すラップ金物で球ボイドを包み込んだ状態図である。
【図８】本発明の一実施形態を示すクリップ金物である。「押入れタイプ」と「廻しタイプ」を例示している。
【符号の説明】
【００３７】１：下型枠
２ａ，２ｂ：下端筋
３ａ，３ｂ：上端筋
４：小空間
５：球ボイド（軽量球体）
６：ラップ金物
７ａ，７ｂ：クリップ金物
８：ワンタッチ止め金物
９：巾止筋
１０：掛け金物
１１：アンカー
１２：パラシュート
１３：ボルト
１４：ラップ金物の支持体
１５ａ，１５ｂ：ラップ部材
【図１】
2005188265.tif 000003
【図２】
2005188265.tif 000004
【図３】
2005188265.tif 000005
【図４】
2005188265.tif 000006
【図５】
2005188265.tif 000007
【図６】
2005188265.tif 000008
【図７】
2005188265.tif 000009
【図８】
2005188265.tif 000010